(57)【要約】【課題】広範囲に点在するプラントにおいて、効率的な保守・点検を行なうための計画作成、移動ができるようにしたプラントの保守・点検支援装置を提供する。【解決手段】異なる場所に存在する複数の無人プラント内に設置された各種機器の保守・点検を行なうプラントの保守・点検支援装置であって、プラント内での機器の設置位置のデータが入力され、保守点検を行なう機器の位置を出力する三次元モデル６と、上記機器を効率的に回る移動案を作成する移動経路案作成手段８と、上記移動案にもとづいて無人プラント間及びプラント内の機器を効率よく回るためのガイダンスを出力する機構３とを備えた構成とする。【選択図】図１
2007140619.tif 000002
【特許請求の範囲】
【請求項１】
異なる場所に存在する複数の無人プラント内に設置された各種機器の保守・点検を行なうプラントの保守・点検支援装置であって、プラント内での機器の設置位置のデータが入力され、保守点検を行なう機器の位置を出力する三次元モデルと、上記機器を効率的に回る移動案を作成する移動経路案作成手段と、上記移動案にもとづいて無人プラント間及びプラント内の機器を効率よく回るためのガイダンスを出力する機構とを備えたプラントの保守・点検支援装置。
【請求項２】
異なる場所に存在する複数の無人プラント内に設置された各種機器の保守・点検を行なうプラントの保守・点検支援装置であって、プラント内での機器の設置位置のデータが入力され、保守点検を行なう機器の位置を出力する三次元モデルと、プラント内の機器の点検作業手順を格納した管理台帳と、上記機器を効率的に回る移動案を作成する移動経路案作成手段と、上記移動案にもとづいて無人プラント間及びプラント内の機器を効率よく回るためのガイダンス及び点検作業手順のガイダンスを出力する機構とを備えたプラントの保守・点検支援装置。
【請求項３】
異なる場所に存在する複数の無人プラント内に設置された各種機器の保守・点検を行なうプラントの保守・点検支援装置であって、プラント内の機器の管理台帳と、プラント内の保守点検を行なう機器の位置を出力する三次元モデルと、上記機器を効率的に回る移動案を作成する移動経路案作成手段と、保守点検時に必要な治具・器具情報と、上記移動案にもとづいて無人プラント間及びプラント内の機器を効率よく回るためのガイダンス及び点検作業手順のガイダンス並びに点検準備のガイダンスを出力する機構とを備えたプラントの保守・点検支援装置。
【発明の詳細な説明】
【技術分野】
【０００１】
この発明は、プラントの保守・点検支援装置、特に、下水ポンプ場や上水配水場など、広域に施設が点在しており、かつ無人の施設が多数存在する大規模なプラントにおいて、設備の調査や保守・点検を行う際の計画・作業を行うための支援装置に関するものである。
【背景技術】
【０００２】
従来のプラントの保守・点検支援装置においては、プラント内の点検機器・点検記録や設置位置についての案内はされているが、広範囲に点在するプラントの場合の地理的な位置関係までの案内はされていない。（例えば、特許文献1参照）。
【０００３】
【特許文献１】特開２００１−３５６８１３号公報
【発明の開示】
【発明が解決しようとする課題】
【０００４】
従来のプラントの保守・点検支援装置は以上のように構成されているので、プラントの場内のみのガイダンスだけで、プラントが広範囲に点在している場合の保守・点検業務については、プラント間の移動などのガイダンスが出来ないなどの問題点があった。
【０００５】
近年プラントの無人化が進み、通信網の発達に伴って広範囲に点在するプラントの集中監視・管理が可能になる一方、実際に実物を目視等により確認する必要がある保守・点検作業は更に専門化し、また移動も広範囲にわたるため、従来よりも時間がかかる傾向にあり、更に点検・保守人員も削減の一途をたどっているという問題点があった。
【０００６】
広範囲に点在するプラントの保守点検を行う場合は、プラント間を移動する必要があるので、効率よく保守・点検を行うためには場内の機器のみでなく、プラントの地理的な関係も把握しておく必要がある。
【０００７】
この発明は上記のような問題点に対処するためになされたものであり、広範囲に点在するプラントの保守・点検業務において、地理に不慣れな担当者であっても現地間を効率よく回り、プラントの保守・点検を効率よく行なうことが出来るプラントの保守・点検支援装置を提供することを目的とする。
【課題を解決するための手段】
【０００８】
この発明に係るプラントの保守・点検支援装置は、異なる場所に存在する複数の無人プラント内に設置された各種機器の保守・点検を行なうプラントの保守・点検支援装置であって、プラント内での機器の設置位置のデータが入力され、保守点検を行なう機器の位置を出力する三次元モデルと、上記機器を効率的に回る移動案を作成する移動経路案作成手段と、上記移動案にもとづいて無人プラント間及びプラント内の機器を効率よく回るためのガイダンスを出力する機構とを備えたものである。
【発明の効果】
【０００９】
この発明に係るプラントの保守・点検支援装置は上記のように構成されているため、計画を立てる時に要する時間と、移動時間が短縮され、効率の良い保守・点検業務を行なうことができる。また、道路ナビゲーションシステム（ＧＰＳ）８については、安価な市販システムを流用することができ、システムの価格も抑えることが出来る。
【発明を実施するための最良の形態】
【００１０】
実施の形態１．
以下、この発明の実施の形態１を図に基づいて説明する。図１は、実施の形態１の構成を示す概略図、図２は、図１の詳細構成を示し、各システム・データ間のデータの授受を示したものである。
【００１１】
図１において、保守・点検担当者が保全支援システム４に対して点検の必要な機場を点検要求１から入力すると、そのリクエストに対する結果として点検機器のリストや機場の点検順序などが表示される。プラントの場内の機器の配置や機場リスト、場内地図は三次元モデル６及び移動経路案作成手段である道路ナビゲーションシステム（ＧＰＳ）８から保全支援システム４に供給されている。
【００１２】
次に実施の形態１の動作について説明する。
広範囲に点在する無人プラントにおいて、機器の保守・点検を行う場合、場内の機器の設置位置についての事前の把握に加えて、限られた時間内に複数のプラントを効率よく回る必要がある。
【００１３】
従来は、通常、機場は有人であり、手馴れない、あるいは現場をあまり知らない保守・点検の担当者は新人や転勤者に限られていたが、昨今の技術の進歩により、無人の機場が増え、保守・点検の担当者は点検の必要が生じた機場をリストにして図２に示すように、点検要求１から、機場リストを保全支援システム４に入力していた。
【００１４】
機場リストには、点検実施日に点検を行うプラント（機場）名、点検を行う機器名等が含まれている。この点検要求１に対して、保全支援システム４は、そのプラント名称を道路ナビゲーションシステム（ＧＰＳ）８に出力し、道路ナビゲーションシステム（ＧＰＳ）８は衛星から入手した現在地のデータと地図（道路）データから指定された機場への効率的な移動案を作成する。
【００１５】
また、機場リストから三次元モデル６のデータが、その機場の二次元場内地図を保全支援システム４を通じて道路ナビゲーションシステム（ＧＰＳ）８に出力する。
道路ナビゲーションシステム（ＧＰＳ）８は、二次元場内地図と点検機器名称から、機場の玄関をスタート地点とした場内の効率よい移動案を作成する。それと同時に、保全支援システム４は各プラントの場内三次元モデル６から、点検実施日に点検を行う機器のプラント内における位置情報をプラントの三次元モデル内で表示する。
【００１６】
これらの結果を結果表示３により、機場点検順序・点検地区内地図・場内点検順序・場内地図・場内三次元モデル・点検機器リストとしてＣＲＴ画面及び紙にて出力する。
保守・点検担当者は機場点検順序・点検地区内地図により、点検当日に機場を回る順序を効率よく決めることができ、１日に行う点検内容を増やす事が出来る。
【００１７】
また、場内点検順序・場内地図は同様に場内の移動を効率よく行えるようにしている。
更に、場内三次元モデル・点検機器リストは点検担当者が現場を把握していなくても、イメージをつかむ事を可能にしている。
【００１８】
以上のように構成することにより、従来は場内のみの案内だった保守・点検支援について、実施の形態１では、複数プラントの移動に関する案内をも加えたことにより、計画を立てる時に要する時間と、移動時間が短縮され、効率の良い保守・点検業務を行なうことができる。また、道路ナビゲーションシステム（ＧＰＳ）８については、安価な市販システムを流用することができ、システムの価格も抑えることが出来る。
【００１９】
実施の形態２．
次に、この発明の実施の形態２を図にもとづいて説明する。図３は、実施の形態２の構成を示す概略図である。
【００２０】
実施の形態１では、場内の案内は三次元モデル６によって機器の位置を示すものであったが、実施の形態２は、三次元モデル６に機器管理台帳５を接続したものである。機器管理台帳５には、その機器に必要な点検項目や点検作業要領が記載されているため、点検計画が立てやすく、準備にかかる時間を短縮することができる。
【００２１】
また、機器管理台帳５にはこれまでの点検結果も記載されているので、今後の点検周期や各機器の現状を把握するのに役に立つ。
【００２２】
実施の形態３．
次に、この発明の実施の形態３を図にもとづいて説明する。図４は、実施の形態３の構成を示す概略図である。
【００２３】
実施形態１、２では、場内の案内は三次元モデル６によって機器の位置を示すと共に、点検要領・手順と過去の点検結果を示すものであったが、実施の形態３は、図４に示すように、三次元モデル６にさらに治具・器具情報９を接続して引き出すようにしたものである。この結果、点検時に必要な治具・器具が即座にわかり、点検準備が効率よく行えると共に、準備にかかる時間を短縮することができる。
【図面の簡単な説明】
【００２４】
【図１】この発明の実施の形態１の構成を示す概略図である。
【図２】実施の形態１の詳細構成を示す図である。
【図３】この発明の実施の形態２の構成を示す概略図である。
【図４】この発明の実施の形態３の構成を示す概略図である。
【符号の説明】
【００２５】
１  点検要求、  ３  支援結果の表示、  ４  保全支援システム、  ５  機器台帳、
６  三次元モデル、  ８  道路ナビゲーションシステム（ＧＰＳ）、  ９  治具・器具情報。
【図１】
2007140619.tif 000003
【図２】
2007140619.tif 000004
【図３】
2007140619.tif 000005
【図４】
2007140619.tif 000006